【手続補正書】
【提出日】平成28年10月7日(2016.10.7)
【手続補正１】
【補正対象書類名】明細書
【補正対象項目名】００５４
【補正方法】変更
【補正の内容】
【００５４】
本発明の範囲及び趣旨から逸脱しない、本発明に対する種々の修正及び変更が、当業者には明らかであろう。結果として、当然のことながら、本発明は本明細書で述べた例示的な実施形態及び実施例によって過渡に限定されることは意図されておらず、このような実施例及び実施形態は一例として示されており、本発明の範囲は以下のように本明細書で述べる請求項によってのみ限定されることが意図されている。本発明の実施態様の一部を以下の項目［１］−［２０］に記載する。
［１］
加温装置であって、
表面を有する臨床衣と、
前記表面上の膨張可能な対流式加温器具と、を含み、
前記対流式加温器具は、前記表面に取り付けられた膨張可能な中央部材と、少なくとも１つの入口ポートと、少なくとも１つの透過性の周辺拡散器であって、前記臨床衣から分離し、ひだの付いた非ねじれダクトによって前記中央部材に結合された、周辺拡散器と、を含む、加温装置。
［２］
前記少なくとも１つの透過性の周辺拡散器は、前記臨床衣上に、折り畳み、巻き締め、又は収縮構成で取り外し可能に保持されている、項目１に記載の加温装置。
［３］
前記少なくとも１つの透過性の周辺拡散器及び前記ダクトは膨張可能である、項目１に記載の加温装置。
［４］
前記中央部材及び前記少なくとも１つの周辺拡散器は、対応する通気性壁を有する、項目３に記載の加温装置。
［５］
前記ダクトは非透過性である、項目４に記載の加温装置。
［６］
前記少なくとも１つの透過性の拡散器は少なくとも２つの透過性の拡散器を含み、それぞれ前記中央部材に、対応する非透過性ダクトによって結合され、それぞれ前記臨床衣上に、患者の対応する腕と位置が合うように配置される、項目１に記載の加温装置。
［７］
前記少なくとも１つの透過性の拡散器は少なくとも２つの透過性の拡散器を含み、それぞれ前記中央部材に、対応する非透過性ダクトによって結合され、それぞれ前記臨床衣上に、患者の対応する脚と位置が合うように配置される、項目１に記載の加温装置。
［８］
加温装置であって、
表面を有する臨床衣と、
前記表面上の膨張可能な対流式加温器具と、を含み、
前記対流式加温器具は、前記表面に取り付けられた膨張可能な中央部材と、少なくとも１つの入口ポートと、前記臨床衣から着脱可能な少なくとも一対の通気性の周辺拡散器と、少なくとも一対の周囲方向にひだの付いたダクトであって、各ダクトが、対応する通気性の拡散器を前記中央部材に接続している、少なくとも一対のダクトと、を含む、加温装置。
［９］
各通気性の周辺拡散器は、前記臨床衣上に折り畳み構成で取り外し可能に保持されている、項目８に記載の加温装置。
［１０］
前記通気性の周辺拡散器及びダクトは膨張可能である、項目８に記載の加温装置。
［１１］
前記中央部材及び前記通気性の周辺拡散器は、対応する通気性壁を有している、項目１０に記載の加温装置。
［１２］
前記ダクトは非透過性である、項目１１に記載の加温装置。
［１３］
前記通気性の拡散器は、前記臨床衣の袖上に患者の前記腕と位置が合うように配置される、項目８に記載の加温装置。
［１４］
前記通気性の拡散器は、前記臨床衣の下縁部の付近に、患者の前記脚と位置が合うように配置される、項目８に記載の加温装置。
［１５］
前記少なくとも一対の通気性の周辺拡散器は、前記臨床衣から分離可能な第１及び第２の通気性の周辺拡散器の対を含み、前記少なくとも一対のダクトは第１及び第２のダクトの対を含み、
前記第１のダクトの対の各ダクトは、前記第１の通気性の周辺拡散器の対の対応する通気性の拡散器を前記中央部材に接続し、
前記第２のダクトの対の各ダクトは、前記第２の通気性の周辺拡散器の対の対応する通気性の拡散器を前記中央部材に接続する、項目８に記載の加温装置。
［１６］
前記第１の通気性の拡散器の対は、前記臨床衣の袖上に、患者の前記腕と位置が合うように配置され、前記第２の通気性の拡散器の対は、前記臨床衣の下縁部の付近に、患者の前記脚と位置が合うように配置される、項目１５に記載の加温装置。
［１７］
臨床衣を前記臨床衣の表面に膨張可能な対流式加温器具と含む加温器具を動作させる方法であって、前記対流式加温器具が、前記表面に取り付けられた膨張可能な中央部材、少なくとも１つの入口ポート、及び前記中央部材にダクトによって結合された少なくとも１つの透過性の周辺拡散器を含み、
前記臨床衣を人に着用させることと、
前記透過性の周辺拡散器を前記人の脚に配備することと、
加温加圧空気の流れを前記中央部材内に与えることと、を含む、方法。
［１８］
前記透過性の周辺拡散器は前記臨床衣上に取り外し可能に保持され、前記透過性の周辺拡散器を配備することは、前記透過性の周辺拡散器を前記臨床衣から取り外すことと、前記透過性の周辺拡散器を前記脚に置くことと、を含む、項目１７に記載の方法。
［１９］
臨床衣を前記臨床衣の表面に設けられた膨張可能な対流式加温器具と含む対流式加温器具を動作させる方法であって、前記対流式加温器具は、内側面に取り付けられた透過性の中央部材、前記中央部材内の少なくとも１つの入口ポート、前記中央部材にダクトによって結合された少なくとも１つの透過性の周辺拡散器を含み、
前記透過性の周辺拡散器を折り畳み構成で前記臨床衣内に保持することと、
前記臨床衣を人に着用させることと、
前記透過性の周辺拡散器を開くことと、
前記透過性の周辺拡散器を前記人の脚の上に置くことと、を含む、方法。
［２０］
エアホースを前記入口ポートに接続することと、加熱空気のフローを前記エアホースを通して与えることと、を更に含む項目１９に記載の方法。
【手続補正２】
【補正対象書類名】特許請求の範囲
【補正対象項目名】全文
【補正方法】変更
【補正の内容】
【特許請求の範囲】
【請求項１】
加温装置であって、
表面を有する臨床衣と、
前記表面上の膨張可能な対流式加温器具と、を含み、
前記対流式加温器具は、前記表面に取り付けられた膨張可能な中央部材と、少なくとも１つの入口ポートと、少なくとも１つの透過性の周辺拡散器であって、前記臨床衣から分離し、ひだの付いた非ねじれダクトによって前記中央部材に結合された、周辺拡散器と、を含む、加温装置。
【請求項２】
前記少なくとも１つの透過性の周辺拡散器及び前記ダクトは膨張可能である、請求項１に記載の加温装置。
【請求項３】
加温装置であって、
表面を有する臨床衣と、
前記表面上の膨張可能な対流式加温器具と、を含み、
前記対流式加温器具は、前記表面に取り付けられた膨張可能な中央部材と、少なくとも１つの入口ポートと、前記臨床衣から着脱可能な少なくとも一対の通気性の周辺拡散器と、少なくとも一対の周囲方向にひだの付いたダクトであって、各ダクトが、対応する通気性の拡散器を前記中央部材に接続している、少なくとも一対のダクトと、を含む、加温装置。
【請求項４】
前記少なくとも一対の通気性の周辺拡散器は、前記臨床衣から分離可能な第１及び第２の通気性の周辺拡散器の対を含み、前記少なくとも一対のダクトは第１及び第２のダクトの対を含み、
前記第１のダクトの対の各ダクトは、前記第１の通気性の周辺拡散器の対の対応する通気性の拡散器を前記中央部材に接続し、
前記第２のダクトの対の各ダクトは、前記第２の通気性の周辺拡散器の対の対応する通気性の拡散器を前記中央部材に接続する、請求項３に記載の加温装置。
【請求項５】
前記第１の通気性の拡散器の対は、前記臨床衣の袖上に、患者の腕と位置が合うように配置され、前記第２の通気性の拡散器の対は、前記臨床衣の下縁部の付近に、患者の脚と位置が合うように配置される、請求項４に記載の加温装置。